【手続補正書】
【提出日】平成16年9月24日(2004.9.24)
【手続補正１】
【補正対象書類名】明細書
【補正対象項目名】全文
【補正方法】変更
【補正の内容】
【書類名】  明細書【発明の名称】  後ろ姿見【特許請求の範囲】    【請求項１】  自分を被写体とする被写体の前面に配設する表示装置と、前記被写体の後面に配設するビデオカメラと、該ビデオカメラが前記被写体の後面を撮像して得られた映像信号を前記表示装置へ伝送する伝送手段とを備えて、前記表示装置に前記被写体の後ろ姿をリアルタイムに表示するように構成したことを特徴とする後ろ姿見。    【請求項２】  自分を被写体とする被写体を映す鏡と、前記被写体の前面に配設する表示装置と、前記被写体の後面に配設するビデオカメラと、該ビデオカメラが前記被写体の後面を撮像して得られた映像信号を前記表示装置へ伝送する伝送手段とを備えて、前記表示装置に前記被写体の後ろ姿をリアルタイムに表示するように構成したことを特徴とする後ろ姿見。【発明の詳細な説明】      【０００１】    【発明の属する技術分野】  本発明は、自分の姿を映す姿見に関するものである。      【０００２】    【従来の技術】  従来から、自分の姿を映す姿見には鏡が用いられ、特に自分の後頭部や後ろ姿を映して見て身繕いをするような場合、手鏡を併用し、あるいは鏡を３面に配した三面鏡を使って行うのが一般的である。      【０００３】  さらに、自分の動作フォームを撮像手段にて撮像して、これを循環録画制御手段にてループ状に循環録画すると共に、循環再生手段にて録画映像信号が、設定時間だけ遅延して再生するように、リング状に循環再生して表示手段に表示させることにより動作後表示手段を見て自分の動作フォームを自分で確認する事を可能にした電子式姿見装置（特開平０６−２７６５２５号公報）がある。      【０００４】    【発明が解決しようとする課題】  しかし、鏡を用いたものは、例えば後頭部や和服着の後ろ姿等の身繕いをする際、自分の後ろの部分を自分が見易く映すのが難しく、目的の部位を映して見る時、頭や体を捻って見るなどで困難があり、しかも映された像の相対的距離感覚及び方向感覚が通常の感覚に合わないために、映る手の動く方向が逆に見えて通常の感覚と合わず、そのためにする見繕いなどの手操作が極めて難しいなどで問題がある。      【０００５】  さらに、電子式姿見装置（特開平０６−２７６５２５号公報）は、自分の動作フォームを撮像し録画した映像信号を指定時間遅延させて再生して表示装置に表示することで、自分の動作フォームの中の後ろ姿や手の動きなどを見やすくしているものの、自分の動作フォームを撮像し録画して後に指定時間遅らせて再生して表示して、先に録画した動作を後で再生して見るようにしているために、自分の後ろ姿や手の動きなどを表示装置に表示して見て確認する場合、録画再生装置を必要とするために装置のコストを高くするうえに、自分の後ろ姿や手の動きをリアルタイムに映して見ながら身繕いをするというような用途に利用できないなどで問題がある。      【０００６】    【課題を解決するための手段】  本発明は上記問題を解決するためになされたもので、請求項１の発明は、自分を被写体とする被写体の前面に配設する表示装置と、前記被写体の後面に配設するビデオカメラと、該ビデオカメラが前記被写体の後面を撮像して得られた映像信号を前記表示装置へ伝送する伝送手段とを備えて、前記���示装置に前記被写体の後ろ姿をリアルタイムに表示して、自分の後ろ姿や手の動きなどを正面を向いたままの状態でリアルタイムに映して見られるようにしたことを特徴とする。      【０００７】  請求項２の発明は、自分を被写体とする被写体を映す鏡と、前記被写体の前面に配設する表示装置と、前記被写体の後面に配設するビデオカメラと、該ビデオカメラが前記被写体の後面を撮像して得られた映像信号を前記表示装置へ伝送する伝送手段とを備えて、前記表示装置に前記被写体の後ろ姿をリアルタイムに表示して、自分の後ろ姿や手の動きなどを正面を向いたままの状態でリアルタイムに映して見られるようにしたことを特徴とする。      【０００８】    【作用】  自分の後ろ姿が、後面に配設されたビデオカメラで撮られて、前面に配設された表示装置にリアルタイムに表示（映）されて見られるようになり、これによって自分の後ろの部分を自分が見易く映すのを容易にするとともに、映された後ろ姿の相対的距離感覚及び方向感覚を通常の感覚に合うようにし、さらには自分の後ろ姿や手の動きなどを正面を向いたままの状態でリアルタイムに映して見ながら身繕いができるようにする。      【０００９】    【実施例】  以下に、本発明の実施例を図面を使って説明する。図１は本発明の後ろ姿見１の一実施例を示す構成図であって、図２はそのブロック図である。これ等の図において、ビデオカメラ２は、自分を被写体とする被写体の後面に、壁面５に設けられた取付具４に固定されたアーム３によって支えられて配設されていて、前記被写体の後ろ姿を撮像して映像信号に変換して、該映像信号を表示装置６へ伝送する。      【００１０】  さらに表示装置６は、壁面５に、前記被写体の前面に位置して配設されていて、ビデオカメラ２からの前記映像信号を受けて、前記被写体の後ろ姿を表示する。これによって、自分の後ろ姿が自分の前面に位置して配設された表示装置６にリアルタイムに表示される。      【００１１】  また制御７は、表示装置６の画質等を調整するもので、さらにはアーム３及びビデオカメラ２に備えられたモーター制御装置等を制御して、ビデオカメラ２のズーム及び撮像位置及び撮像角度等を遠隔調整することもできる。      【００１２】  また鏡８は、従来の姿見として使われる。      【００１３】  なお、ビデオカメラ２は、アーム３によるビデオカメラ２の支えをフレキシブルにして手動で移動できるようにして、撮像位置及び撮像角度等を手動操作できるようにし、さらに手動でズーム操作等ができるようにしてもよい。また表示装置６は、横形でも縦形でもよく、さらには配設する位置及びその向き等を使い勝手に合わせて又は適時に選ぶことができ、また前記映像信号はアーム３の中に信号線或いは光ケーブル等を通して伝送し、又は無線伝送して表示装置６で受ける。      【００１４】また鏡８は、表示装置６が非通電時の表示面を鏡として用いることができるので備えなくてもよく、さらには三面鏡等に代えてもよい。また、壁面５とともに従来の例えばドレッサーと呼ばれるような家具形式のものに代えて該家具形式のものにアーム３を取り付けてビデオカメラ２を支えるように構成してもよい。      【００１５】  また、ビデオカメラ２は被写体の裏面を撮像す���位置に配設すればよく、したがって、使われるアーム３は壁面５の他にその取り付け及びビデオカメラ２の支えを使い勝手を考慮して配設し、またビデオカメラ２をアーム３によらないで被写体の後面の壁面等に配設するなどしてもよい。さらに、上記構成を小型一体化した携帯型にしてもよい。      【００１６】    【効果】  以上の構成によって本発明は、自分の後ろ姿が後面に配設されたビデオカメラで撮られて、該後ろ姿が前面に配設された表示装置にリアルタイムに表示され見られるので、目的とする自分の後ろの部分、特に、従来の鏡を使ってする方法では難しかった後頭部の真後ろ部分等が、正面を向いたまま（表示装置に向かったまま）の状態でリアルタイムに映して見ることができるようになり、鏡の横あるいは上方向に映し出される像を体や目線を大きく動かして見る従来の鏡を使ってする方法に比べて極めて見易くなる      【００１７】  さらに、自分の後ろの部分が見易くなるうえに、映し出された後ろ姿の相対的距離感覚及び方向感覚が通常の感覚に合うので、該後ろ姿と合わせて映される手の動きなどが通常の感覚で見られるようになって、例えば後頭部や和服着の後ろ姿等の身繕いをする際、そのためにする手操作が極めて容易になって、短時間で上手にできるようになる。      【００１８】  また、自分の後ろ姿が前面に配設された表示装置にリアルタイムに表示され、しかも正面を向いたままで、表示された後ろ姿の相対的距離感覚及び方向感覚が通常の感覚に合う状態でリアルタイムに見られるので、自分の動作フォームを撮像し録画して後に指定時間遅らせて再生して表示して、先に録画した動作を後で再生して見るようにして、以前の自分の動作フォームを確認するのを目的にした従来の電子式姿見では困難であった、手の動きをリアルタイムに見ながらする必要がある後頭部や後ろ姿の見繕いなどの動作を容易にするとともに、従来の電子式姿見に比べて表示に録画再生装置を必要としない分低いコストで製作できる。      【００１９】  また、これ等のことから本発明は、従来、後頭部や後ろ姿の乱れを気にしながらその確認と身繕いが難しかった利用者に朗報となる新規の化粧関連の備品として利用でき、さらには、これをデパートやホテルの化粧室や試着室、それに美容院（室）や理髪店等に備えることで、来客者への新たなサービス提供と特に女性客の集客拡大等に寄与すること絶大である。【図面の簡単な説明】    【図１】  本発明の後ろ姿見１の一実施例を示す構成図である。    【図２】  後ろ姿見１のブロック図である。    【符号の説明】  １  後ろ姿見  ２  ビデオカメラ  ３  アーム  ４  取付具  ５  壁面  ６  表示装置  ７  制御  ８  鏡